(57)【要約】      （修正有）【課題】脚を有する重量物の移動が容易な構造を有し、製作コストを低くでき、前記重量物を載せた状態が安定し安全な移動が可能になる重量物移動台車を提供する。【解決手段】脚３を有する重量物５、例えば営業用の大型の冷蔵庫７を移動するための台車１である。台車１の本体９はステンレス製である。この本体９の下面には、３対のキャスター車輪１１が設けられる。また、本体９には、冷蔵庫７の片側一対の脚３を入れるための長い溝１３が一体的に形成される。この溝１３は、本体９の中央で全長にわたって形成され、車輪の軸よりも低い位置にある。また、溝１３の長手方向の一方は、脚３を入れるために開口１５を形成している。溝１３の幅は、大型の冷蔵庫７の脚３の幅よりの少し大きいだけである。【選択図】図１
0003165617.tif 000002
【実用新案登録請求の範囲】
【請求項１】
脚を有する重量物を移動するための台車において、この台車の本体と、この本体の下面に設けられた複数の車輪と、前記本体に形成され前記脚を入れるための溝とを有し、前記溝は前記本体の中央で全長にわたって形成され前記車輪の軸よりも低い位置にあり、前記溝の長手方向の一方は前記脚を入れるために開口していることを特長とする重量物移動台車。
【請求項２】
前記本体は、平面形状が細長い四角形で幅が狭く、この幅方向の縦断面は、前記溝の底部と両側壁部を形成するコの字状部分と、該コの字の両先端から外側に連続する水平面部とを有し、この水平面部の下面には、前記全長にわたって形成される前記溝を挟んで３対の車輪が設けられ、前記水平面部の縁辺には下方へ縁側壁部が連続し、前記溝の長手方向の他方は前記縁側壁部が延長されて閉じられていることを特長とする請求項１に記載の重量物移動台車。
【考案の詳細な説明】
【技術分野】
【０００１】
この考案は、脚を有する重量物、例えば冷蔵庫、テーブルなどを移動するための台車に関する。
【背景技術】
【０００２】
従来、脚を有する重量物、例えば冷蔵庫、テーブル、ショーケースなどの移動は、ストック倉庫内での移動、また、商店改装に伴う商店内での配置換えによる移動などが、行なわれる。
これらの移動するための台車は、通常の台車と同じものを使用していた。すなわち、頑丈な板状の台車本体の下面に、キャスター車輪が通常４個設けられる。
各キャスター車輪は、上部の平面的な取付座の下面に設けられる一対のフォークによって、車輪の車軸が支持される。
【０００３】
このため、各キャスター車輪に支えられた台車本体はかなり高い位置にある。重量物に耐えられる台車やキャスター車輪はかなり大型になり、その分、台車本体はより高い位置となる。
この高い位置へ、前記重量物を載せるには、重量物の脚が高い位置になるまで、重量物を傾けなければならず、例えば営業用の大型の冷蔵庫で、通常３０ｃｍ程度傾けなければならなかった。
よって、人手により前記重量物を移動する作業は困難を伴っていた。
なお、下記特許文献１には、車軸よりも低い位置に荷台が存在する車高の低い台車が開示される。また、下記特許文献２には、台車本体の断面が中央で大きく凹み、車高が低くなっているものが開示される。  
【先行技術文献】
【特許文献】
【０００４】
【特許文献１】特開2009-227010
【特許文献２】実登3137181
【考案の概要】
【考案が解決しようとする課題】
【０００５】
しかしながら、上記特許文献１、２は、構造上、脚を有する重量物の移動には使用できない。また、構造が複雑すぎ、製作コストが高くなる。さらに、構造上、脚を有する重量物を載せると、載せた状態が不安定になり危険である。
この考案は、以上の問題点を解決するために、脚を有する重量物の移動が容易な構造を有し、製作コストを低くでき、前記重量物を載せた状態が安定し安全な移動が可能になる重量物移動台車を提供することを目的とする。
【課題を解決するための手段】
【０００６】
以上の課題を解決するために、第一考案は、脚を有する重量物を移動するための台車において、この台車の本体と、この本体の下面に設けられた複数の車輪と、前記本体に形成され前記脚を入れるための溝とを有し、前記溝は前記本体の中央で全長にわたって形成され前記車輪の軸よりも低い位置にあり、前記溝の長手方向の一方は前記脚を入れるために開口していることを特長とする重量物移動台車である。
【０００７】
第二考案は、前記本体は、平面形状が細長い四角形で幅が狭く、この幅方向の縦断面は、前記溝の底部と両側壁部を形成するコの字状部分と、該コの字の両先端から外側に連続する水平面部とを有し、この水平面部の下面には、前記全長にわたって形成される前記溝を挟んで３対の車輪が設けられ、前記水平面部の縁辺には下方へ縁側壁部が連続し、前記溝の長手方向の他方は前記縁側壁部が延長されて閉じられていることを特長とする請求項１に記載の重量物移動台車である。
【考案の効果】
【０００８】
第一、又は第二考案の重量物移動台車によれば、脚を有する重量物を少し傾け脚を少し上げるだけで、この脚を、台車の本体に形成された溝の一方の開口から載せられ、よって前記重量物を容易に載せ移動できる。また、脚が溝に入れられることで前記重量物は、載せた状態が安定する。
【０００９】
第二考案の重量物移動台車によれば、台車の本体は、幅方向の縦断面が、溝のコの字状部分と、該コの字の両先端から外側に連続する水平面部と、前記水平面部の縁辺で下方へ連続する縁側壁部と、で一体連続的に構成され、さらに、溝の他方は縁側壁部が延長されて閉じられている構成を有し、シンプルで強度のある構造となっており、よって、製作コストを低くできる。
【図面の簡単な説明】
【００１０】
【図１】この考案の一実施形態に係る重量物移動台車の使用状態の斜視図である。
【図２】図１の重量物移動台車を一方から見た斜視図である。
【図３】図１の重量物移動台車を他方から見た斜視図である。
【図４】図２の重量物移動台車を裏返した状態の斜視図である。
【考案を実施するための形態】
【００１１】
この考案の実施形態を、図１及び図４に示す。
［全体］
この実施形態の台車１は、脚３を有する重量物５、すなわち営業用の大型の冷蔵庫７を移動するための台車１である。台車１の本体９はステンレス製である。この本体９の下面には、３対のキャスター車輪１１が設けられる。また、本体９には、冷蔵庫７の片側一対の脚３を入れるための長い溝１３が一体的に形成される。この溝１３は、本体９の中央で全長にわたって形成され、車輪の軸よりも低い位置にある。また、溝１３の長手方向の一方は、脚３を入れるために開口１５している。溝１３の幅は、大型の冷蔵庫７の脚３の幅よりの少し大きいだけである。
【００１２】
［各部］
本体９は、ステンレス製の板材を屈曲し溶接して構成する。図２，図３に示すように、平面形状が細長い四角形で、幅が狭い。この幅方向の縦断面は、中央に、溝１３の底部１７と両側壁部を形成するコの字状部分を有する。コの字は、開口１５を上にしている。このコの字の両先端から外側に水平面部２１が連続する。水平面部２１の３方の縁辺には、下方へ縁側壁部２３が連続する。残りの１方は、溝１３の側壁部である。溝１３の長手方向の他方では、左右の縁側壁部２３が延長されて一体となり、これにより閉じられている。この延長部分２５の外側には、ハンドル２７が設けられる。
【００１３】
図４に示すように、本体９の水平面部２１の下面には、全長にわたって形成される溝１３を挟んで、３対の車輪が設けられる。これらの車輪は、キャスター車輪１１である。各キャスター車輪１１は、上部の平面的な取付座２９の下面に、ベアリングが配された旋回部が設けられ、この旋回部から下方に一対のフォーク３１が設けられる。車輪３３は、この一対のフォーク３１の間に配置され、これらフォーク両端がベアリングを介して車軸３５を支持する。
【００１４】
［使用方法］
図１に示すように、移動の対象となる重量物５は、この実施形態では営業用の大型の冷蔵庫７である。この冷蔵庫７は、４つの脚３を有する。重量物移動台車１は２台用意する。冷蔵庫７の左右２対の脚３を、片側一対ずつ、重量物移動台車１に載せる。
【００１５】
脚３を載せる際には、冷蔵庫７を少し、すなわち数ｃｍ傾けて、これにより片側一対の脚３を少し上げるだけで、この一対の脚３を、台車１の本体９に形成された溝１３の一方の開口１５に載せる、この溝１３の開口１５は、低く、移動を行なう床より数ｃｍ高いだけである。
【００１６】
このとき、一対の脚３の並んだ方向と、台車１の溝１３の方向を同じにし、両者を直線的に位置させる。そして、この直線上で台車１を動かして、溝１３の開口１５を始めの脚３に近づけ、この脚３を溝１３に入れる。入れた後、そのまま、直線上で台車１を動かして、次の脚３に近づけ、この脚３を入れる。このようにして、一対の脚３が溝１３に入った後に、冷蔵庫７の傾きを元に戻せば、この一対の脚３は、溝１３に入ったまま、台車１に載せられたことになる。
【００１７】
同様にして、冷蔵庫７を反対側に傾け、他方側一対の脚３を、別の重量物移動台車１の溝１３に入れ、冷蔵庫７の傾きを元に戻し、この別の台車１に載せる。
このようにして、冷蔵庫７は、２台の重量物移動台車１に載せられ、移動できる。
【００１８】
「実施形態の効果」
以上説明したように、脚３を有する重量物５である冷蔵庫７を少し傾け、これによって脚３を少し上げるだけで、この脚３を、台車１の本体９に形成された溝１３の一方の開口１５に載せられ、よって２台の台車１によって重量物５を容易に載せ移動できる。
【００１９】
また、溝１３の幅は、大型の冷蔵庫７の脚３の幅よりの少し大きいだけであり、脚３が溝１３に入れられることで、重量物５は台の上でずれることが少なく、よって載せた状態が安定する。
さらに、台車１の本体９は、シンプルで強度のある構造となっている。すなわち、本体９の幅方向の縦断面が、溝１３のコの字状部分のコの字の両先端から、外側に水平面部２１へ連続し、この水平面部２１の縁辺で下方へ縁側壁部２３に連続する。よって、本体９は、溝１３のコの字状部分、水平面部２１、縁側壁部２３と一体連続的に構成される。また、水平面部２１の下の空間は、水平面内で、４方が閉じた構成となっている。さらに、溝１３の他方は、縁側壁部２３が延長されて閉じられている構成を有する。このようにして、連続し、閉じた構成を有することで、シンプルで強度のある構造となっており、よって、製作コストを低くできる。
【００２０】
「他の実施形態」
以上の実施形態では、本体９は、ステンレス製であったが、他の実施形態では、硬質プラスチック製でも良い。
以上の実施形態では、脚３を有する重量物５の例として冷蔵庫７を示したが、他の実施形態では、テーブル、ショーケースなど、他の重量物５の移動に本願考案が使用できる。
【符号の説明】
【００２１】
１…台車、３…脚、５…重量物、７…冷蔵庫、９…本体、１１…キャスター車輪、１３…溝、１５…開口、１７…底部、１９…側壁部、２１…水平面部、２３…縁側壁部、２５…延長部分、２７…ハンドル、２９…取付座、３１…フォーク、３３…車輪、３５…車軸。
【図１】
0003165617.tif 000003
【図２】
0003165617.tif 000004
【図３】
0003165617.tif 000005
【図４】
0003165617.tif 000006